(57)【要約】【課題】輪転印刷機等の印刷機械に付属する高速運転用シータに搭載され、シート出しとは異なる方向へ進行させてリジェクト紙を抜き取るオートリジェクト装置の提供。【解決手段】リジェクト信号により断裁部４で切断される連続紙２からリジェクト紙となる連続紙２の先端を保持し、通常のシート出しとは異なる方向へ進行させる転換部７を設け、この転換部７から受け渡された連続紙２を断裁部４で切断してリジェクト紙２Ｂとしてベルト搬送部８に受け渡し、減速搬送部９を経由して搬送されたリジェクト紙２Ｂをリジェクト紙収納箱１３に収納する。これにより、高速運転の輪転印刷機に付属されるシータで排出され続けている印刷紙の中から不良印刷紙の部分を正確に取り出せるので良紙の歩留率を飛躍的に向上させられ、不良印刷紙の取り出し作業に伴っていた煩雑さも飛躍的に解消出来る。また検紙の為の良紙の抜取りも正確に出来るので、計数管理が精度良く行える。【選択図】図１
2008195531.tif 000002
【特許請求の範囲】
【請求項１】
印刷部から搬送される連続紙を断裁部で枚葉紙に切断し、該枚葉紙を搬送して排紙部に棒積みする印刷機械に付属するシータであって、
前記シータの断裁部で切断される連続紙からリジェクト紙となる連続紙の先端を保持し、前記排紙部への進行とは異なる方向へ進行させる転換手段と、
前記転換手段から受渡された連続紙を前記断裁部で切断してリジェクト紙として搬送する搬送手段と、
前記排紙部とは異なる場所に装備され、前記搬送手段で搬送されたリジェクト紙を収納するリジェクト紙収納手段と、
を備えていることを特徴とするシータ用オートリジェクト装置。
【請求項２】
前記転換手段は紙幅に対応した長さを有し、前記連続紙の先端を紙幅方向の複数箇所で保持する回転体を備え、該回転体がシータ内の連続紙の搬送路上に配置されていることを特徴とする請求項１に記載のシータ用オートリジェクト装置。
【請求項３】
前記転換手段の回転体は内部に減圧室が形成されていると共に、周面に開放され且つ前記減圧室に連通した吸着孔が紙幅に合わせて長手方向に複数個配列された回転体と、該回転体に組み込まれ、前記吸着孔の孔縁をバルブ座としたバルブで構成されるバルブ部と、前記回転体に組み込まれ、リジェクト信号により断裁部の切断タイミングに関連させて前記バルブを作動しバルブ開でリジェクト紙となる連続紙の先端の吸着またはバルブ閉で連続紙の非吸着の各バルブ動作を行うバルブ操作部と、を備えていることを特徴とする請求項２に記載のシータ用オートリジェクト装置。
【請求項４】
前記バルブ操作部はリジェクト信号が出されている間、転換手段の回転体の１回転毎にバルブ開閉の各バルブ動作を行うことを特徴とする請求項３に記載のシータ用オートリジェクト装置。
【請求項５】
前記転換手段のバルブ操作部は回転体の内部の長手方向に延びる回転可能な軸にレバーが固定され、該レバーの揺動により前記バルブ部材を作動させることを特徴とする請求項３に記載のシータ用オートリジェクト装置。
【請求項６】
前記転換手段、搬送手段、リジェクト紙収納手段がシータの排紙部への搬送路の上側或いは下側に配置されていることを特徴とする請求項１に記載のシータ用オートリジェクト装置。
【請求項７】
前記レバーの揺動を拘束するストッパ機構を備えていることを特徴とする請求項５に記載のシータ用オートリジェクト装置。
【請求項８】
前記転換手段の回転体が断裁部のカッタ胴であることを特徴とする請求項２に記載のシータ用オートリジェクト装置。
【請求項９】
前記転換手段のバルブがカッタ胴の回転刃直後の周面近傍に配置されていることを特徴とする請求項８に記載のシータ用オートリジェクト装置。
【請求項１０】
前記カッタ胴に接近してサクションローラを配置し、該サクションローラに転換手段の働きでカッタ胴に吸着された連続紙を吸着させて受け渡し、その後断裁部で切断したリジェクト紙を、該サクションローラを介して搬送手段に移すことを特徴とする請求項９に記載のシータ用オートリジェクト装置。
【請求項１１】
前記カッタ胴に接近してサクションローラを配置すると共に、転換手段のバルブ操作部がカッタ胴の内部の長手方向に延びる回転可能な軸にレバーを固定し、該レバーの揺動により前記バルブ部材を作動させるよう構成されており、前記バルブ部材がカッタ胴の胴周面からわずかに引っ込んだ位置にあるときバブル閉で非吸着動作となり、胴周面とほぼ面一となる位置にあるときバブル開で吸着動作となり、該バルブ開より更に胴周面から突出した押し上げ位置にあるとき吸着開放動作となる押し上げバルブで構成されており、前記押し上げバルブが押し上げ位置にあるとき連続紙を押し上げて前記サクションローラに吸着させて受け渡し、その後断裁部で切断したリジェクト紙を、該サクションローラを介して搬送手段に移すことを特徴とする請求項９に記載のシータ用オートリジェクト装置。
【請求項１２】
前記カッタ胴の回転中心と同心に固定されたカムを備え、前記カムにより軸を回転させてレバーを揺動させることを特徴とする請求項１１に記載のシータ用オートリジェクト装置。
【請求項１３】
前記転換手段の回転体が断裁部の搬送下流側に配置され、連続紙に張力を与えるドラグローラであることを特徴とする請求項２に記載のシータ用オートリジェクト装置。
【請求項１４】
前記ドラグローラにバルブ操作部が設けられおり、該バルブ操作部はドラグローラの長手方向に貫通させた回転可能な軸に固定された偏芯カムと、前記軸を回転させる電磁式アクチュエータと、を備え、
リジェクト信号が出されている間、ドラグローラの１回転毎に前記偏芯カムの回転によりバルブ部材を作動し、バルブ開閉の各バルブ動作を行うことを特徴とする請求項１３に記載のシータ用オートリジェクト装置。
【請求項１５】
前記ドラグローラは内部に形成された減圧室と、ローラ周面に開放され且つ前記減圧室に連通されていると共に、紙幅に合わせて長手方向に複数個配列された吸着孔と、前記吸着孔の孔縁をバルブ座としたバルブで構成されるバルブ部と、リジェクト信号により断裁部の切断タイミングに関連させて前記バルブを作動しバルブ開でリジェクト紙となる連続紙の先端の吸着またはバルブ閉で連続紙の非吸着の各バルブ動作を行うバルブ操作部と、前記各吸着孔が連続紙の搬送路に対向する領域で該各吸着孔を覆って懸架され、前記ドラグローラと同じ周速度で回転させ、前記各吸着孔を介してリジェクト紙を吸着する穴明きベルトと、を備え、搬送手段の搬送ベルトがドラグローラの穴明きベルトまで延設されており、該搬送ベルトと穴明きベルトとの協働によりリジェクト紙をドラグローラから取り去ることを特徴とする請求項１３に記載のシータ用オートリジェクト装置。
【請求項１６】
前記穴明きベルトが懸架されるドラグローラの周面には穴明きベルトの幅より若干狭く且つ該穴明きベルトの少なくとも1つの穴が存在する吸引域を形成し、該吸引域に吸着孔が設けられていることを特徴とする請求項１５に記載のシータ用オートリジェクト装置。
【請求項１７】
前記バルブ操作部はドラグローラの長手方向に貫通させた回転可能な軸に固定された偏芯カムと、前記軸を回転させる電磁式アクチュエータと、備え、
リジェクト信号が出されている間、前記偏芯カムの回転によりバルブ部材を作動し、バルブ開状態を保持することを特徴とする請求項１５に記載のシータ用オートリジェクト装置。
【請求項１８】
前記ドラグローラは内部に形成された減圧室と、ローラ周面に開放され且つ前記減圧室に連通されていると共に、紙幅に合わせて長手方向に複数個配列された吸着孔と、前記減圧室と吸着孔を連通する通路に配置され、該回転体の長手方向をバルブ軸とした回転により前記通路を開閉するバルブと、リジェクト信号により断裁部の切断タイミングに関連して前記バルブを動作させるバルブ操作部と、前記各吸着孔が連続紙の搬送路に対向する領域で該各吸着孔を覆って懸架され、前記各吸着孔を介してリジェクト紙を吸着する穴明きベルトと、を備え、
搬送手段の搬送ベルトがドラグローラの穴明きベルトまで延設されており、該穴明きベルトと搬送ベルトとが協働し、リジェクト紙をドラグローラから取り去ることを特徴とする請求項１３に記載のシータ用オートリジェクト装置。
【請求項１９】
前記ドラグローラの周面には長手方向に開放された細長の凹部が形成されており、該凹部の底に減圧室へ通じる複数の通路の開口が設けられていると共に、前記ドラグローラの長さにほぼ等しく且つ前記凹部に嵌め込まれるブロックを備え、前記ブロックは前記ドラグローラの周面の一部となる外面を有し、該外面に開放され、前記複数の通路に相対する複数の吸着孔が設けられ、前記減圧室へ通じる複数の通路にそれぞれの吸着孔を個別に連通するブロック通路が設けられ、該ブロック通路を横切ってバルブ孔が形成されていると共に、前記ブロックのバルブ孔にバルブが組み込まれていることを特徴とする請求項１８に記載のシータ用オートリジェクト装置。
【請求項２０】
前記ブロックの外面には前記穴明きベルトの幅より若干狭く且つ該穴明きベルトの少なくとも1つの穴が存在する吸引域を形成し、該吸引域に吸着孔が開口していることを特徴とする請求項１９に記載のシータ用オートリジェクト装置。
【請求項２１】
前記バルブ操作部はドラグローラのローラ端にバルブ軸を回転させる電磁式アクチュエータを備え、
リジェクト信号が出されている間、前記バルブ軸の回転によりバルブを作動し、バルブ開状態を保持することを特徴とする請求項１８に記載のシータ用オートリジェクト装置。
【請求項２２】
前記転換手段は紙幅に対応した長さを有し、シータ内の連続紙の搬送路上に配置され、内部に減圧室が形成されていると共に、周面に開放され且つ前記減圧室に連通した吸着孔が紙幅に合わせて長手方向に複数個配列された回転体と、
該回転体に組み込まれ、前記減圧室と各吸着孔間に独立に形成された経路に配置された複数のバルブと、
リジェクト信号により断裁部の切断タイミングに関連して各バルブ毎に動作させるバルブ操作部と、を備え、
前記バルブはバルブ開で連続紙の吸着またはバルブ閉で連続紙の非吸着の各バルブ動作を行うことを特徴とする請求項１に記載のシータ用オートリジェクト装置。
【請求項２３】
前記転換手段の回転体はバルブ室と、該バルブ室に組み込まれ、減圧室に通じる真空経路および大気に通じる大気経路を有するマニホールドと、回転体の周面の一部となる外面を持っており、該外面に開放された吸着孔を設けた前記バルブ室の覆い部材と、前記バルブ室に組み込まれ、前記覆い部材の吸着孔と前記マニホールドの真空経路または大気経路に通じる経路を開閉する電磁真空バルブと、を備えていることを特徴する請求項２２に記載のシータ用オートリジェクト装置。
【請求項２４】
リジェクト信号が出されている間、前記転換手段の回転体の１回転毎に電磁真空バルブをＯＮ／ＯＦＦし、バルブ開閉を行うことを特徴とする請求項２３に記載のシータ用オートリジェクト装置。
【請求項２５】
前記転換手段の回転体が断裁部の搬送下流側に配置され、連続紙に張力を与えるドラグローラであって、前記ドラグローラは各吸着孔が連続紙の搬送路に対向する領域で該各吸着孔を覆って懸架され、前記ドラグローラと同じ周速度で回転させ、前記各吸着孔を介してリジェクト紙を吸着する穴明きベルトを備え、搬送手段の搬送ベルトがドラグローラの穴明きベルトまで延設されており、該搬送ベルトと穴明きベルトとの協働によりリジェクト紙をドラグローラから取り去ることを特徴とする請求項２３に記載のシータ用オートリジェクト装置。
【請求項２６】
前記覆い部材の外面には前記穴明きベルトの幅より若干狭く且つ該穴明きベルトの少なくとも１つの穴が存在する吸引域を形成し、該吸引域に吸着孔が開口していることを特徴とする請求項２５に記載のシータ用オートリジェクト装置。
【請求項２７】
リジェクト信号が出されている間、電磁真空バルブをＯＮにし、バルブ開状態に保持することを特徴とする請求項２５に記載のシータ用オートリジェクト装置。
【請求項２８】
前記バルブ操作部が紙幅に応じて使用するバルブの設定を可能にしたことを特徴とする請求項２２および２４に記載のシータ用オートリジェクト装置。
【請求項２９】
前記転換手段は回転体の長手方向に並設され、前記搬送路に向けて出没可能な複数本の針からなる紙刺し部と、
リジェクト信号により断裁部の切断タイミングに関連して前記針の出没を操作する紙刺し操作部と、を備え、
前記紙刺し操作部は回転体の長手方向に貫通させた回転可能な軸に固定された偏芯カムと、前記軸を回転させる電磁式アクチュエータと、前記偏芯カムの回転により前記針を回転体周面より突出させてリジェクト紙となる連続紙の先端を突き刺し前記連続紙の進行を転換させることを特徴とする請求項２に記載のシータ用オートリジェクト装置。
【請求項３０】
前記転換手段の回転体が断裁部の搬送下流側に配置され、連続紙に張力を与えるドラグローラであることを特徴とする請求項２９に記載のシータ用オートリジェクト装置。
【発明の詳細な説明】
【技術分野】
【０００１】
本発明は高速輪転印刷機に付属されるシータにて、断裁された後続紙の先端を吸着してシート出しと異なる進行方向へ転換して排出するシータ用オートリジェクト装置に関する。
【背景技術】
【０００２】
シータの排紙部にて、瓦積み状態で進入する後続の枚葉紙を一時的に保持する一時紙受け装置は、例えば特許文献１や特許文献２に提案されている。従来の一時紙受け装置は排紙パイル交換時の一時紙受けであり、後続紙は再びパイル上に棒積みされる。その為、混在する不良印刷紙を除去（リジェクト）するには別途手作業にて抜き取る必要があった。
また、シート材の振り分け、抜取り技術は、例えば特許文献３や特許文献４に提案されている。これら従来技術ではシート材や枚葉紙はセパレート状に搬送される機械にのみ使用されるものである為、輪転印刷機に付属するシータのような高速運転には適用できない。
【０００３】
【特許文献１】実開平２−１１９４７０号公報
【特許文献２】特開２００３−３４１９１０号公報
【特許文献３】特開２００２−１１４４２７号公報
【特許文献４】特開２００１−１７１８８８号公報
【発明の開示】
【発明が解決しようとする課題】
【０００４】
本発明の目的は、輪転印刷機等の印刷機械に付属する高速運転用シータに搭載され、リジェクト紙を棒積み排紙部への進行とは異なる方向へ進行させて抜取るオートリジェクト装置を提供することにある。
【課題を解決するための手段】
【０００５】
上記の目的を達成するため、請求項１の発明に係るシータ用オートリジェクト装置は印刷部から搬送される連続紙を断裁部で枚葉紙に切断し、該枚葉紙を搬送して排紙部に棒積みする印刷機械に付属するシータであって、
シータの断裁部で切断される連続紙からリジェクト紙となる連続紙の先端を保持し、排紙部への進行とは異なる方向へ進行させる転換手段と、転換手段から受渡された連続紙を断裁部で切断してリジェクト紙として搬送する搬送手段と、排紙部とは異なる場所に装備され、搬送手段で搬送されたリジェクト紙を収納するリジェクト紙収納手段とを備えていることを特徴とする。
【０００６】
請求項２の発明は、請求項１において、転換手段は紙幅に対応した長さを有し、連続紙の先端を紙幅方向の複数箇所で保持する回転体を備え、該回転体がシータ内の連続紙の搬送路上に配置されていることを特徴とする。
【０００７】
請求項３の発明は、請求項２において、転換手段の回転体は内部に減圧室が形成されていると共に、周面に開放され且つ減圧室に連通した吸着孔が紙幅に合わせて長手方向に複数個配列された回転体と、該回転体に組み込まれ、吸着孔の孔縁をバルブ座としたバルブで構成されるバルブ部と、回転体に組み込まれ、リジェクト信号により断裁部の切断タイミングに関連させてバルブを作動しバルブ開でリジェクト紙となる連続紙の先端の吸着またはバルブ閉で連続紙の非吸着の各バルブ動作を行うバルブ操作部とを備えていることを特徴とする。
【０００８】
請求項４の発明は、請求項３において、バルブ操作部はリジェクト信号が出されている間、転換手段の回転体の１回転毎にバルブ開閉の各バルブ動作を行うことを特徴とする。
【０００９】
請求項５の発明は、請求項３において、前記転換手段のバルブ操作部は回転体の内部の長手方向に延びる回転可能な軸にレバーが固定され、該レバーの揺動により前記バルブ部材を作動させることを特徴とする。
【００１０】
請求項６の発明は、請求項１において、前記転換手段、搬送手段、リジェクト紙収納手段がシータの排紙部への搬送路の上側或いは下側に配置されていることを特徴とする。
【００１１】
請求項７の発明は、請求項５において、前記レバーの揺動を拘束するストッパ機構を備えていることを特徴とする。
【００１２】
請求項８の発明は、請求項２において、前記転換手段の回転体が断裁部のカッタ胴であることを特徴とする。
【００１３】
請求項９の発明は、請求項８において、前記転換手段のバルブがカッタ胴の回転刃直後の周面近傍に配置されていることを特徴とする。
【００１４】
請求項１０の発明は、請求項９において、前記カッタ胴に接近してサクションローラを配置し、該サクションローラに転換手段の働きでカッタ胴に吸着された連続紙を吸着させて受け渡し、その後断裁部で切断したリジェクト紙を、該サクションローラを介して搬送手段に移すことを特徴とする。
【００１５】
請求項１１の発明は、請求項９において、前記カッタ胴に接近してサクションローラを配置すると共に、転換手段のバルブ操作部がカッタ胴の内部の長手方向に延びる回転可能な軸にレバーを固定し、該レバーの揺動により前記バルブ部材を作動させるよう構成されており、前記バルブ部材がカッタ胴の胴周面からわずかに引っ込んだ位置にあるときバブル閉で非吸着動作となり、胴周面とほぼ面一となる位置にあるときバブル開で吸着動作となり、該バルブ開より更に胴周面から突出した押し上げ位置にあるとき吸着開放動作となる押し上げバルブで構成されており、前記押し上げバルブが押し上げ位置にあるとき連続紙を押し上げて前記サクションローラに吸着させて受け渡し、その後断裁部で切断したリジェクト紙を、該サクションローラを介して搬送手段に移すことを特徴とする。
【００１６】
請求項１２の発明は、請求項１１において、前記カッタ胴の回転中心と同心に固定されたカムを備え、前記カムにより軸を回転させてレバーを揺動させることを特徴とする。
【００１７】
請求項１３の発明は、請求項２において、前記転換手段の回転体が断裁部の搬送下流側に配置され、連続紙に張力を与えるドラグローラであることを特徴とする。
【００１８】
請求項１４の発明は、請求項１３において、前記ドラグローラにバルブ操作部が設けられおり、該バルブ操作部はドラグローラの長手方向に貫通させた回転可能な軸に固定された偏芯カムと、前記軸を回転させる電磁式アクチュエータと、を備え、
リジェクト信号が出されている間、ドラグローラの１回転毎に前記偏芯カムの回転によりバルブ部材を作動し、バルブ開閉の各バルブ動作を行うことを特徴とする。
【００１９】
請求項１５の発明は、請求項１３において、前記ドラグローラは内部に形成された減圧室と、ローラ周面に開放され且つ前記減圧室に連通されていると共に、紙幅に合わせて長手方向に複数個配列された吸着孔と、前記吸着孔の孔縁をバルブ座としたバルブで構成されるバルブ部と、リジェクト信号により断裁部の切断タイミングに関連させて前記バルブを作動しバルブ開でリジェクト紙となる連続紙の先端の吸着またはバルブ閉で連続紙の非吸着の各バルブ動作を行うバルブ操作部と、前記各吸着孔が連続紙の搬送路に対向する領域で該各吸着孔を覆って懸架され、前記ドラグローラと同じ周速度で回転させ、前記各吸着孔を介してリジェクト紙を吸着する穴明きベルトと、を備え、搬送手段の搬送ベルトがドラグローラの穴明きベルトまで延設されており、該搬送ベルトと穴明きベルトとの協働によりリジェクト紙をドラグローラから取り去ることを特徴とする。
【００２０】
請求項１６の発明は、請求項１５において、穴明きベルトが懸架されるドラグローラの周面には穴明きベルトの幅より若干狭く且つ該穴明きベルトの少なくとも1つの穴が存在する吸引域を形成し、該吸引域に吸着孔が設けられていることを特徴とする。
【００２１】
請求項１７の発明は、請求項１５において、前記バルブ操作部はドラグローラの長手方向に貫通させた回転可能な軸に固定された偏芯カムと、前記軸を回転させる電磁式アクチュエータと、備え、
リジェクト信号が出されている間、前記偏芯カムの回転によりバルブ部材を作動し、バルブ開状態を保持することを特徴とする。
【００２２】
請求項１８の発明は、請求項１３において、前記ドラグローラは内部に形成された減圧室と、ローラ周面に開放され且つ前記減圧室に連通されていると共に、紙幅に合わせて長手方向に複数個配列された吸着孔と、前記減圧室と吸着孔を連通する通路に配置され、該回転体の長手方向をバルブ軸とした回転により前記通路を開閉するバルブと、リジェクト信号により断裁部の切断タイミングに関連して前記バルブを動作させるバルブ操作部と、前記各吸着孔が連続紙の搬送路に対向する領域で該各吸着孔を覆って懸架され、前記各吸着孔を介してリジェクト紙を吸着する穴明きベルトと、を備え、
搬送手段の搬送ベルトがドラグローラの穴明きベルトまで延設されており、該穴明きベルトと搬送ベルトとが協働し、リジェクト紙をドラグローラから取り去ることを特徴とする。
【００２３】
請求項１９の発明は、請求項１８において、ドラグローラの周面には長手方向に開放された細長の凹部が形成されており、該凹部の底に減圧室へ通じる複数の通路の開口が設けられていると共に、前記ドラグローラの長さにほぼ等しく且つ前記凹部に嵌め込まれるブロックを備え、前記ブロックは前記ドラグローラの周面の一部となる外面を有し、該外面に開放され、前記複数の通路に相対する複数の吸着孔が設けられ、前記減圧室へ通じる複数の通路にそれぞれの吸着孔を個別に連通するブロック通路が設けられ、該ブロック通路を横切ってバルブ孔が形成されていると共に、前記ブロックのバルブ孔にバルブが組み込まれていることを特徴とする。
【００２４】
請求項２０の発明は、請求項１９において、ブロックの外面には前記穴明きベルトの幅より若干狭く且つ該穴明きベルトの少なくとも1つの穴が存在する吸引域を形成し、該吸引域に吸着孔が開口していることを特徴とする。
【００２５】
請求項２１の発明は、請求項１８において、バルブ操作部はドラグローラのローラ端にバルブ軸を回転させる電磁式アクチュエータを備え、
リジェクト信号が出されている間、前記バルブ軸の回転によりバルブを作動し、バルブ開状態を保持することを特徴とする。
【００２６】
請求項２２の発明は、請求項１において、前記転換手段は紙幅に対応した長さを有し、シータ内の連続紙の搬送路上に配置され、内部に減圧室が形成されていると共に、周面に開放され且つ前記減圧室に連通した吸着孔が紙幅に合わせて長手方向に複数個配列された回転体と、
該回転体に組み込まれ、前記減圧室と各吸着孔間に独立に形成された経路に配置された複数のバルブと、
リジェクト信号により断裁部の切断タイミングに関連して各バルブ毎に動作させるバルブ操作部と、を備え、
前記バルブはバルブ開で連続紙の吸着またはバルブ閉で連続紙の非吸着の各バルブ動作を行うことを特徴とする。
【００２７】
請求項２３の発明は、請求項２２において、前記転換手段の回転体はバルブ室と、該バルブ室に組み込まれ、減圧室に通じる真空経路および大気に通じる大気経路を有するマニホールドと、回転体の周面の一部となる外面を持っており、該外面に開放された吸着孔を設けた前記バルブ室の覆い部材と、前記バルブ室に組み込まれ、前記覆い部材の吸着孔と前記マニホールドの真空経路または大気経路に通じる経路を開閉する電磁真空バルブと、を備えていることを特徴する。
【００２８】
請求項２４の発明は、請求項２３において、リジェクト信号が出されている間、前記転換手段の回転体の１回転毎に電磁真空バルブをＯＮ／ＯＦＦし、バルブ開閉を行うことを特徴とする。
【００２９】
請求項２５の発明は、請求項２３において、転換手段の回転体が断裁部の搬送下流側に配置され、連続紙に張力を与えるドラグローラであって、前記ドラグローラは各吸着孔が連続紙の搬送路に対向する領域で該各吸着孔を覆って懸架され、前記ドラグローラと同じ周速度で回転させ、前記各吸着孔を介してリジェクト紙を吸着する穴明きベルトを備え、搬送手段の搬送ベルトがドラグローラの穴明きベルトまで延設されており、該搬送ベルトと穴明きベルトとの協働によりリジェクト紙をドラグローラから取り去ることを特徴とする。
【００３０】
請求項２６の発明は、請求項２５において、前記覆い部材の外面には前記穴明きベルトの幅より若干狭く且つ該穴明きベルトの少なくとも１つの穴が存在する吸引域を形成し、該吸引域に吸着孔が開口していることを特徴とする。
【００３１】
請求項２７の発明は、請求項２５において、リジェクト信号が出されている間、電磁真空バルブをＯＮにし、バルブ開状態に保持することを特徴とする。
【００３２】
請求項２８の発明は、請求項２２および２４において、前記バルブ操作部が紙幅に応じて使用するバルブの設定を可能にしたことを特徴とする。
【００３３】
請求項２９の発明は、請求項２において、前記転換手段は回転体の長手方向に並設され、前記搬送路に向けて出没可能な複数本の針からなる紙刺し部と、
リジェクト信号により断裁部の切断タイミングに関連して前記針の出没を操作する紙刺し操作部と、を備え、
前記紙刺し操作部は回転体の長手方向に貫通させた回転可能な軸に固定された偏芯カムと、前記軸を回転させる電磁式アクチュエータと、前記偏芯カムの回転により前記針を回転体周面より突出させてリジェクト紙となる連続紙の先端を突き刺し前記連続紙の進行を転換させることを特徴とする。
【００３４】
請求項３０の発明は、請求項２９において、前記転換手段の回転体が断裁部の搬送下流側に配置され、連続紙に張力を与えるドラグローラであることを特徴とする。
【発明の効果】
【００３５】
請求項１の発明によれば、高速運転の輪転印刷機に付属されるシータで排出され続けている印刷紙の中から不良印刷紙の部分を正確に取り出せるので良紙の歩留率を飛躍的に向上させられ、不良印刷紙の取り出し作業に伴っていた煩雑さも飛躍的に解消出来る。また検紙の為の良紙の抜取りも正確に出来るので、計数管理が精度良く行える。
【００３６】
請求項２〜５の発明によれば、回転体に転換手段が組み込まれた構造なので、連続紙の先端の保持動作を高速かつ正確に行わせられ、不良印刷紙等の取り出しを正確に行える。
【００３７】
請求項６の発明によれば、転換手段、搬送手段、リジェクト紙収納手段がシータのシート出し搬送路の上側或いは下側に配置されているので、他の作業に悪影響を与えることなく、空いているスペースを有効活用し、コンパクトな装置とすることが出来る。
【００３８】
請求項７の発明によれば、アームの揺動を拘束するストッパ機構を用いるので、連続紙の非吸着の動作を確実に制御できる。
【００３９】
請求項８の発明によれば、転換手段の回転体が断裁部のカッタ胴であって、該カッタ胴にバルブ操作部が設けられているので、断裁と連続紙の吸着および非吸着の各動作がより近傍で行なえてより確実になり、またカッタ胴が転換手段の回転体を兼ねるので装置が非常にコンパクトになる。
【００４０】
請求項９の発明によれば、転換手段のバルブがカッタ胴の回転刃の直後の周面近傍に配置されているので、カッタ胴の回転刃と転換手段のバルブとの間の連続紙が緩むことがなく、リジェクト紙となる連続紙の先端を正確に吸着出来る。
【００４１】
請求項１０の発明によれば、カッタ胴に吸着された連続紙をサクションローラに吸着させて受け渡し、その後カッタ胴で切断したリジェクト紙を、該サクションローラを介して搬送手段に移すことにより排出方向の転換がスムースになりシンプルな構成の装置で確実にリジェクト紙を取り出すことが可能となる。
【００４２】
請求項１１の発明によれば、転換手段のバルブ機能として、連続紙の吸着および非吸着の他に、連続紙をカッタ胴周面から押し上げる機能を持った押し上げバルブで構成することによりリジェクト紙となる連続紙が確実に前記周面より離れられて、次のサクションローラに確実に吸着させて受け渡しすることが出来、その後断裁部で切断したリジェクト紙を、該サクションローラを介して搬送手段に移すことが出来て、各動作が確実に実施されえる。
【００４３】
請求項１２の発明によれば、カッタ胴の回転中心と同心に固定されたカムを備え、前記カムにより軸を回転させてレバーを揺動させることによりシンプルな構成により高速運転時における動作の安定性が確保される。
【００４４】
請求項１３の発明によれば、転換手段をドラグローラに組み込むことにより転換手段のバルブがカッタ胴にある場合に比較するとよりシンプルとなり装置製造の面で容易となる。
【００４５】
請求項１４の発明によれば、バルブ操作部のシンプルな構成により複数個のバルブを同時に操作できる。
【００４６】
請求項１５の発明によれば、搬送ベルトと穴明きベルトの協働によりリジェクト紙をドラグローラから取り去ることで確実に搬送部に受け渡すことが可能になる。
【００４７】
請求項１６の発明によれば、ドラグローラ周面の吸引域に穴明きベルトの少なくとも１つの穴が存在するので、リジェクト紙を確実に吸着転換することができる。
【００４８】
請求項１７の発明によれば、リジェクト信号が出されている間、バルブ開状態を保持することが出来るので、短時間でのバルブ開閉が不要となり高速運転時における動作の安定性が確保される。
【００４９】
請求項１８の発明によれば、バルブ操作部がよりシンプルとなり装置製造の面で容易となり、搬送ベルトと穴明きベルトの協働によりリジェクト紙をドラグローラから取り去ることで確実に搬送部に受け渡すことが可能になる。
【００５０】
請求項１９の発明によれば、ドラグローラ周面の一部となる外面を有するブロックにバルブが組み込まれているので、バルブ操作部がよりシンプルとなり装置製造の面で容易となる。
【００５１】
請求項２０の発明によれば、ブロック外面の吸引域に穴明きベルトの少なくとも１つの穴が存在するので、リジェクト紙を確実に吸着転換することができる。
【００５２】
請求項２１の発明によれば、リジェクト信号が出されている間、バルブ開状態を保持することが出来るので、短時間でのバルブ開閉が不要となり高速運転時における動作の安定性が確保される。
【００５３】
請求項２２の発明によれば、バルブおよびバルブ操作部がドラグローラの紙幅方向に複数個配置され、各バルブ毎に動作させるバルブ操作部を設けて、前記紙幅に応じて使用するバルブの設定を可能にしたことにより、紙外部で吸着バルブが開くことによる真空度の低下即ち吸着力の低下を起こすことがなく、リジェクト紙となる連続紙の確実な吸着・引渡しを可能とし、かつ複数の紙幅の印刷紙に対応可能な適応性の高い装置とすることができる。
【００５４】
請求項２３の発明によれば、バルブおよびバルブ操作部を含むコンパクトな電磁真空バルブを使用することにより請求項１３の発明の効果を持つコンパクトな装置を可能にできる。
【００５５】
請求項２４の発明によれば、回転体の１回転毎にバルブ開閉を行うので大気開放時間がなく真空度低下の問題がないため、真空ポンプの容量が少なくて済む。
【００５６】
請求項２５の発明によれば、搬送ベルトと穴明きベルトの協働によりリジェクト紙をドラグローラから取り去ることで確実に搬送部に受け渡すことが可能になる。
【００５７】
請求項２６の発明によれば、ブロック外面の吸引域に穴明きベルトの少なくとも１つの穴が存在するので、リジェクト紙を確実に吸着転換することができる。
【００５８】
請求項２７の発明によれば、リジェクト信号が出されている間、バルブ開状態を保持することが出来るので、短時間でのバルブ開閉が不要となり高速運転時における動作の安定性が確保される。
【００５９】
請求項２８の発明によれば、バルブ操作部により使用するバルブを設定して紙幅に応じた設定が可能となり吸着バルブ構造を簡素化し、独立制御可能にできる。
【００６０】
請求項２９の発明によれば、転換手段に出没可能な複数本の針を使用することで、真空ポンプやロータリージョイントが不要となり、安価な装置が製造できる。
【００６１】
請求項３０の発明によれば、転換手段をドラグローラに組み込むことにより転換手段がカッタ胴にある場合に比較するとよりシンプルとなり装置製造の面で容易となる。
【発明を実施するための最良の形態】
【００６２】
本発明はシータの断裁部で切断された後続紙の先端を保持して、シート出しと異なる進行方向に転換した後、搬送装置に受け渡し、リジェクト紙収納箱に排出することで実現した。
【実施例１】
【００６３】
実施例１の転換手段は紙幅に対応した長さを有し、シータ内の連続紙の搬送路上に配置され、内部に減圧室が形成されていると共に、周面に開放され且つ減圧室に連通した吸着孔が紙幅に合わせて長手方向に複数個配列された回転体として、カッタ胴を適用したものである。
【００６４】
以下に本発明の実施例を図面に基づいて説明する。
図１は本発明に係るシータ用オートリジェクト装置の全体図、図２はカッタ胴とサクションローラの拡大断面図、図３Ａ〜３Ｃは押し上げバルブの作用図、図４は図３Ｂに示すＡ−Ａ線に沿った断面図、図５は押し上げバルブ用カム廻りの軸方向断面図、図６は図５のＢ−Ｂ矢視図である。
シータ１は主要部として輪転印刷機（図示せず）で印刷された連続紙２が搬送されるインフィード部３、連続紙２から枚葉紙２Ａに切断する断裁部４、シート出しされた枚葉紙２Ａを受け取る排紙部１００を備えており、リジェクト信号を受けて後続紙から必要枚数だけ抜き取るオートリジェクト装置１０が付属されている。高速輪転印刷機用シータ１は高速で進行してくる枚葉紙２Ａを排紙部１００の手前で瓦積み状態にした後、排出される。
【００６５】
断裁部４のカッタ胴４０に取り付けられ回転刃４１が搬送される連続紙２を切断する位置にないとき、連続紙２は断裁部４を通過し、フローティングバー３１を介して搬送され、ドラグローラ１１とニッピングローラ１２でニップされる。ドラグローラ１１は連続紙２の搬送速度よりやや速い速度で回転させているため連続紙２に張力が与えられ、弛みのない張られた状態になっている。張力が与えられた連続紙２は断裁部４の回転刃４１と固定刃４２により切断された後、ドラグローラ１１によりシート出しされた枚葉紙２Ａを減速搬送部３２にて減速し、カッタ胴と同期回転するキックダウンローラ３３により枚葉紙２Ａの紙尻を叩いて後続の枚葉紙２Ａと瓦積み状態にして進行させ排紙部１００にて棒積みされる。
【００６６】
オートリジェクト装置１０はリジェクト信号により断裁部４で切断される連続紙２からリジェクト紙となる連続紙２の先端を吸着し、通常のシート出しとは異なる方向へ進行させる転換部７を設け、この転換部７から受け渡された連続紙２を断裁部４で切断してリジェクト紙２Ｂとしてベルト搬送部８に受渡し、減速搬送部９を経由して搬送されたリジェクト紙２Ｂをリジェクト紙収納箱１３に収納する。本例において、断裁部４に組み込まれた転換部７は本発明の転換手段に、またベルト搬送部８および減速搬送部９は搬送手段に、更にリジェクト紙収納箱１３はリジェクト紙収納手段に相当する。
【００６７】
先ず、転換部７について説明する。カッタ胴４０の回転刃４１の直後に押し上げバルブ２０が配置され、リジェクト紙となる後続紙の先端を吸着し、シート出し方向とは異なる進行、すなわちカッタ胴４０の外周に沿って進行させる。サクションローラ５はカッタ胴４０に接近して配置され、カッタ胴４０で後続紙に対して押し上げバルブ２０の押上作用により、カッタ胴４０からリジェクト紙となる連続紙を吸着によって受け取る。ここで、バルブ２０は吸着孔２９０の孔縁をバルブ座としたバルブ部材で構成されており、バルブの機能とはバルブ部材により吸着孔２９０を閉じたり、開いたり、あるいはバルブ部材によって紙を押し上げ、サクションローラへの受渡しを意味する。
【００６８】
カッタ胴４０はシータフレーム２００（図５参照）に回転可能に支持されており、連続紙２の搬送速度に応じて所定の回転数で回転される。カッタ胴４０の外周にはシータフレーム２００側に配置された固定刃４２との協働作用により連続紙２を切断する回転刃４１が固定されている。押し上げバルブ２０は胴回転方向に対して回転刃下流側の回転刃直後に設けられたバルブ室２１に配置される。
【００６９】
図５において、バルブ室２１には胴長手方向に延びる中空軸２２が回動可能に設けられており、中空軸２２の胴端から突出した軸端にはカムフォロア用アーム２３の一端が取付られている。中空軸２２上には紙幅に合わせて複数個の押し上げバルブ２０が配列されるが、その一つが図４に示されている。中空軸２２の内部にはトーションバー２４が内装され、そのトーションバー２４の一端とカムフォロア用アーム２３が連結部材２５で結合され、トーションバー２４の他端がカッタ胴４０に捩じった状態で固定されている。トーションバー２４の捩り復元力をカムフォロア用アーム２３に伝え、後述のカムフォロア２６をカム２７の外周に押し付けている。
【００７０】
押し上げバルブ２０は中空軸２２に固定されたレバー２８に取り付けられており、図３Ａに示す胴周面からわずかに引っ込んだ位置（バルブ閉じ）、図３Ｂに示す胴周面とほぼ面一となる位置（バルブ開）、図３Ｃに示すバルブ開より更に胴周面から突出する位置（押し上げ）へ可動自在になっている。バルブ室２１はカッタ胴周面と同じ曲率を持った外面を有する覆い部材２９を取り付けると、内部に密閉された室空間が形成される。上記の外面がカッタ胴周面の一部をなす覆い部材２９の回転刃側には押し上げバルブ２０によって開閉される吸着孔２９０が紙幅に合わせてカッタ胴４０の長手方向に複数個配列されている。カッタ胴４０の中心には胴幅方向に延びる減圧室４３が設けられ、この減圧室４３に各押し上げバルブ２０のバルブ室２１が連通されている。減圧室４３は胴端に設けられたロータリバルブを介して真空ポンプに接続されている。
【００７１】
図５および図６において、カム２７はカッタ胴４０の回転軸４０１に同心となるようシータフレーム２００に固定され、この外周にカムフォロア２６が押し付けられている。カッタ胴４０が回転すると、カムフォロア用アーム２３はカム２７のプロファイルに従って揺動し、押し上げバルブ２０を上下動させる。リジェクト紙を処理しない、通常の運転時にはカムフォロア用アーム２３を上動させた状態で保持するストッパ機構６０が設けられている。ストッパ機構６０はカッタ胴４０の端面に電磁式アクチュエータ６１を配置し、この電磁式アクチュエータ６１のプランジャ６１０にストッパ６２を連結する。ストッパ６２はカムフォロア用アーム２３とカム２７との間に挿し込まれ、カムフォロア用アーム２３の揺動を拘束する。
【００７２】
次にサクションローラについて説明する。図２において、サクションローラ５はカッタ胴４０の押し上げバルブ２０の押し上げ領域に接近して配置される。サクションローラ５は固定の中空軸５０の周囲に間隙を設けて、中空軸５０と同心に、通気性のローラ表面を持つ回転ローラ５１が配置され、中空軸５０と回転ローラ５１間に空間５２を形成している。空間５２はローラ長手方向に仕切り壁５３を設けてカッタ胴４０からのリジエクト紙となる連続紙の受渡しを行う吸着領域とし、この吸着領域を除く大気開放領域になっている。吸着領域を形成する密閉空間は真空ポンプに接続され、ローラ表面を吸着可能な状態にされる。
【００７３】
図１において、サクションローラ５から受渡されたリジェクト紙２Ｂとなる連続紙をベルト搬送部８で搬送し、搬送途中で連続紙の尻側が切断されてリジェクト紙２Ｂとなる。リジェクト紙２Ｂは減速搬送部９の減速ベルトにより減速され、ベルト搬送部８の終端に設置されたキックダウンローラ３４により減速瓦積み排紙状態でリジェクト紙収納箱１３に落とし込まれる。この時、紙さばきエアノズル３５と回転ブラシローラ３６により紙尻を下方へ強制落下させる。リジェクト紙収納箱１３は紙の進行方向と幅方向に傾斜して設けられており、振動モータ３７によって紙を整列させて積み上げる。リジェクト紙の取り出しは開閉ストッパ３８を引き倒し、矢印で示す進行方向に抜き取る。
【００７４】
図７は実施例１の制御系の構成を示す。カッタ胴のバルブ室は真空ポンプの運転により減圧状態に保たれていると共に、押し上げバルブのバルブ閉じを保持するストッパ機構の電磁アクチュエータへスリップリングを介して通電する。カッタ胴の位相とリジェクト信号に基づいて電磁アクチュエータを制御し、バルブ閉じ（図３Ａ），バブル開（図３Ｂ）およびバルブ押し上げ（図３Ｃ）の３つの態様に押し上げバルブを上下させる。バルブ閉じは通常運転、バルブ開はリジェクト紙となる連続紙の先端に吸着、バルブ押し上げは吸着開放してリジェクト紙となる連続紙をサクションローラへ受け渡す。
【００７５】
リジェクト信号無しの通常運転の場合、図３Ａに示すように押し上げバルブがバルブ閉となり、非吸着状態になる。そのため、搬送される連続紙はカッタ胴を通過してドラグローラとニッピングローラにニップされて張力が与えられ、カッタ胴の切断タイミングによって切断され、枚葉紙となる。枚葉紙は紙送り用フローティングバーにより支えられながらドラグローラによってシート出しされ、続いてキックダウンローラによって紙尻りが叩かれ、減速搬送部に送られる。ここで後行の枚葉紙が先行の枚葉紙に瓦積み状態にされて排紙部に進行し、棒積みされる。
【００７６】
リジェクト信号有りのリジェクト紙抜取り運転の場合、カッタ胴の位相を検知して押し上げバルブ閉じ状態を確認した後、ストッパ機構の電磁アクチュエータをＯＮにしてプランジャを引き込んでストッパを外し、アームの拘束を解除する。トーションバーの捩じり復元力によりカムフォロアをカムに押し付ける。アームはカムのプロファイルに従って揺動し、カッタが断紙位置に到達する前の所定位置に押し上げバルブが回転するとバルブ開にして吸着可能にし、図３Ｂに示すように搬送路に近づいて連続紙のリード側切断直後で後続の連続紙の先端を吸着する。吸着された後続紙はカッタ胴に沿って進行し、図２に示すサクションローラ５の手前に押し上げバルブが回転すると、図３Ｃのように押し上げバルブを更に突出させて吸着開放させる。同時に後続紙を胴周面から押し上げてサクションローラの周面に押し付け、後続紙のリード側をサクションローラに吸着させて受渡し、さらに搬送ベルトに受渡した後、後続紙の尻側が切断され、リジェクト紙となって切り離され、搬送される。この動作はリジェクト信号がＯＦＦになるまでカッタ胴一回転毎に繰り返され、この間の紙をリジェクト紙収納箱に搬送する。
【実施例２】
【００７７】
実施例２の転換手段は回転体としてドラグローラに適用したものである。
【００７８】
図８Ａは実施例２―１の全体構成を示す。図８Ｂは実施例２―２の全体構成を示す。各実施例の構成について、図９Ａは吸着バルブ付きドラグローラの断面図、図９Ｂは紙刺し針付きドラグローラの断面図、図１０はドラグローラの端面図である。シータの排紙部への搬送路に対して、転換手段、搬送手段、リジェクト紙収納手段の配置に関し、実施例２―１では上側であり、実施例２―２では下側である。なお、リジェクト紙の搬送、収納については前述の実施例１と基本的に同じであるため、その説明は省略し、相違する構成のみを説明する。
【００７９】
図９Ａのドラグローラ１１にはローラ中心で且つ長手方向に貫通するよう減圧室４３が設けられており、ローラ端のロータリバルブを介して真空ポンプに接続されている。減圧室４３を横切ってドラグローラ１１を貫通する孔７１が穿設されており、減圧室４３からローラ周面に開放された一方の孔が吸着孔２９０となる。減圧室４３に対して前記の孔とは逆向きの他方の孔にはザグリ穴７２が形成されている。他方のローラ周面側にはローラ長手方向にバルブ操作軸７３を配設する為の両ローラ端が開放された溝７４およびバルブ操作用カム８１を収納する方形凹部７５が溝７４に交差するよう形成されており、この方形凹部７５の底に上記のザグリ穴７２が設けられている。方形凹部７５は紙幅に応じたバルブ２０の数に合わせて設けられる。
【００８０】
ガイドブッシュ７６は方形凹部７５側から挿入し、減圧室４３を貫通させて吸着孔２９０側に孔壁との間にスペーサ７７を介在して嵌め込み、ガイドブッシュ７６の大径部７６０を方形凹部７５側の孔に嵌合し、鍔７６１をザグリ穴７２の底に突き当てて内装される。吸着孔２９０は孔壁とガイドブッシュ７６との間に形成される空間を介して減圧室４３に通じている。ガイドブッシュ７６内にバルブ支持部材７８を嵌通させている。バルブ支持部材７８の前端にはバルブ２０が取り付けられている。バルブ支持部材７８の後端は大径部７８０になっており、この大径部７８０とガイドブッシュ７６との間に圧縮スプリング７９が介在されている。バルブ支持部材７８は圧縮スプリング７９の弾性力によりバルブ２０を通常時（バルブ操作部の非操作時）においてバルブ閉状態に維持される。バルブ支持部材７８の後端はバルブ操作部８０に連係される。
【００８１】
バルブ操作部８０はローラ端に回転可能に支持されたバルブ操作軸７３に方形凹部７５において偏芯カム８１が固定されている。図１０Ａにおいて、バルブ操作軸７３のローラ端から突出した軸部にはアーム８２が固定されており、このアーム８２には電磁式アクチュエータ８３のブランジャ８３０がピン結合されている。電磁式アクチュエータ８３にはローラ軸端のスリップリングを介して通電（ＯＮまたはＯＦＦ）され、プランジャ８３０の突出または引込み動作が行われる。リジェクト信号が出されると断裁部の切断タイミングに関連して電磁式アクチュエータ８３を動作させ、軸７３に一体の偏芯カム８１を回転させてバルブ２０を図示する矢印方向に移動させてバルブ開またはバルブ閉の状態にし、連続紙の吸着または吸着開放の各動作が行われる。
【００８２】
図９Ｂのドラグローラ１１は上述のバルブに替えて紙刺し針を採用したものである。紙刺し部８８は回転体１１の長手方向に並設され、搬送路に向けて出没可能な複数本の針８９から構成されており、リジェクト紙となる連続紙の先端に針８９を突き刺して保持する。紙刺し部の作動機構は上述のバルブと同じ機構で針が回転体周面から出没可能に構成されているので、ここでは説明を省略する。
【００８３】
図９Ｃの回転バルブ付きドラグローラ１１にはローラ中心で且つ長手方向に貫通するよう減圧室４３が形成され、ローラ端のロータリバルブを介して真空ポンプに接続されている。ローラ周面にはローラ長手方向にローラ端の開放されたバルブユニット収納溝７４が形成されており、このバルブユニット収納溝７４にバルブユニット１１０が嵌装され、ボルト１１１によりドラグローラ１１に固定される。バルブユニット収納溝７４の溝底には減圧室４３に連なる通路４３１が吸着孔の数および形成位置に合わせて形成されている。バルブユニット１１０はドラグローラ１１の周面の一部を成す外面１１０ａを有し、この外面１１０ａに凹部からなる吸引域１１２が形成されている。吸着孔１１３は吸引域１１２を含んで構成され、この吸引域１１２に開口するバルブ通路１１４および通路４３１を介して減圧室４３に通じている。バルブユニット１１０にはバルブ通路１１３を開閉する為に、ドラグローラ１１のローラ長に等しい長さの軸状のバルブ１１５が回転可能に組み込まれている。バルブ１１５はバルブ操作部１１６による回転操作によってバルブ通路１１３と通路４３１とを連通するバルブ開（図９Ｃの状態）、およびバルブ通路１１３と通路４３１とを遮断するバルブ閉（図９Ｄの状態）に切り替えられる。
【００８４】
図１０Ｂにおいて、バルブ操作部１１６はローラ端側にバルブユニット１１０から延びたバルブ１１５の延長部７３０にアーム１１７が固定されており、このアーム１１７には電磁式アクチュエータ８３０のブランジャ８３０ａがピン結合されている。電磁式アクチュエータ８３０にはローラ軸端のスリップリングを介して通電（ＯＮまたはＯＦＦ）され、プランジャ８３０ａの突出または引込み動作が行われる。リジェクト信号が出されると断裁部の切断タイミングに関連して電磁式アクチュエータ８３０を動作させ、アーム１１７を回動させ、図示の実線位置でバルブ開または図示の破線位置でバルブ閉の状態にし、連続紙の吸着または吸着開放の各動作が行われる。
【００８５】
ドラグローラから搬送装置に紙を渡す構成について説明する。図１１はドラグローラの幅方向の一部を示す平面図である。
ドラグローラ１１をリジェクト紙搬送路の起点として、設置される。ドラグローラの軸１１０に同心の回動中心を持ったフレーム８００にフリーローラ８０１を支持し、このフリーローラ８０１に接触させて搬送ベルト８０２が装備される。フレーム８００は保守のため、図８Ａに示す想像線の位置まで回動可能となっている。ニッピングローラ１２と対向しないドラグローラ１１の周面に間隔を置いて複数の環状ベルト溝１１ａが形成され、このベルト溝１１ａに減速搬送路まで搬送ベルト８０２が巻装される。
バルブ２０は搬送ベルト８０２とニッピングローラ１２の干渉をさけるため、この両部材の間に配置される。
【００８６】
図１２は実施例２の制御系の構成を示す。リジェクト信号無しの通常運転の場合、電磁式アクチュエータがＯＦＦになっているので、電磁式アクチュエータのプランジャが突出し、偏芯カムを図９に示す想像線で描かれた位置に待避させている。これによってバルブ２０は圧縮スプリング７９の作用によりローラ中心方向に移動してバルブ閉の状態が保たれ、紙を吸着することなく通常のシート出し運転が行われる。
【００８７】
リジェクト信号有りのリジェクト紙抜取り運転の場合、ドラグローラ１１の位相を確認後、電磁式アクチュエータ８３をＯＮにし、そのプランジャ８３０を引込め、偏芯カム８１を図９Ａに示す実線で描かれた位置に突出させる。これによって圧縮スプリング７９の弾性力に抗してバルブ２０をローラ外周方向に押し出してバルブ開の状態にし、紙を吸着する。吸着された紙はドラグローラ１１の周面に沿って進行し、搬送装置に渡される。この動作はリジェクト信号がＯＦＦになるまでカッタ胴一回転毎に繰り返され、この間の紙をリジェクト紙収納箱に搬送する。
【００８８】
図９Ｃの実施形態の制御系は、リジェクト信号無しの通常運転の場合、電磁式アクチュエータがＯＦＦになっているので、電磁式アクチュエータのプランジャが突出し、アームを介してバルブ１１５を図９Ｄに示す位置に回転させることにより、バルブ閉の状態が保たれ、紙を吸着することなく通常のシート出し運転が行われる。リジェクト信号有りのリジェクト紙抜取り運転の場合、ドラグローラ１１の位相を確認後、電磁式アクチュエータをＯＮにし、そのプランジャを引込め、バルブ１１５を図９Ｃに示す位置に回転させことにより、バルブ開の状態にし、紙を吸着する。吸着された紙はドラグローラ１１の周面に沿って進行し、搬送装置に渡される。リジェクト信号有りの間、カッタ胴一回転毎にバルブ開閉動作が繰り返され、切断されたリジェクト紙をリジェクト紙収納箱に搬送する。
【実施例３】
【００８９】
実施例３の転換手段は紙幅に対応した長さを有し、シータ内の連続紙の搬送路上に配置され、内部に減圧室が形成されていると共に、周面に開放され且つ減圧室に連通した吸着孔が紙幅に合わせて長手方向に複数個配列された回転体として、ドラグローラに適用したものである。回転体には減圧室と各吸着孔間に独立に形成された経路に配置された複数のバルブが組み込まれ、リジェクト信号により断裁部の切断タイミングに関連して各バルブ毎に動作させるバルブ操作部を備えており、バルブはバルブ開で連続紙の吸着またはバルブ閉で連続紙の非吸着の各バルブ動作を行うよう構成されている。
【００９０】
図１３は本発明の具体例として、電磁真空バルブ付きドラグローラの真空吸着時を示す断面図、図１４は同じく大気開放時の断面図、図１５はドラグローラの幅方向の一部を示す平面図である。本実施例は転換手段がドラグローラに組み込まれている。
【００９１】
ドラグローラ１１にはローラ中心で且つ長手方向に貫通するよう減圧室４３が形成され、ローラ端のロータリバルブを介して真空ポンプに接続されている。ドラグローラ１１の内部に形成されたバルブ室９０には減圧室４３と大気への経路を設けたマニホールド９１を組込み、電磁真空バルブ９２が配置されている。電磁真空バルブ９２はローラ軸端のスリップリングを介して通電される。バルブ室９０はローラ周面と同じ曲率を持った外面を有する覆い部材９３を取り付ける。覆い部材９３には真空電磁バルブ９２の真空経路に通じる吸着孔９４が形成されている。
【００９２】
電磁真空バルブ９２は大気に通じる大気経路９２１と減圧室４３に通じる真空経路９２２が切換えられる構造になっており、通電時には図１３に示す減圧室４３側に切換わり真空吸着し、非通電時には図１４に示す大気側に切換わり大気開放（非吸着）される。
【００９３】
実施例３の搬送装置は、前述の実施例と同じものが適用できる。図１５に示すように搬送ベルトとニッピングローラの干渉を避けるため、この両部材の間に、ローラ幅方向に紙幅に合った数のバルブが配置される。電磁真空バルブは個別に通電制御できるため、紙幅に応じて使用するバルブを設定することができる。
【００９４】
図１６は実施例３の制御系の構成を示す。リジェクト信号無しの通常運転の場合、電磁真空バルブがＯＦＦになっているので、電磁真空バルブを大気開放状態のままで回転するので、紙を吸着することなく通常のシート出し運転が行われる。
【００９５】
リジェクト信号有りのリジェクト紙抜取り運転の場合、ドラグローラの位相を確認後、電磁真空バルブをＯＮにし、真空吸着状態とし、紙を吸着する。吸着された紙はドラグローラの周面に沿って進行し、搬送装置に渡される。搬送装置に受け渡した後、再び大気開放状態にする。この動作はリジェクト信号がＯＦＦになるまでカッタ胴一回転毎に繰り返され、この間の紙をリジェクト紙収納箱に搬送する。
【００９６】
実施例１から３のシータ用オートリジェクト装置の作用について図１７のフローを参照しながら説明する。
印刷中の損紙発生箇所（損紙検知装置の設置場所）からシータの断裁部のカッタ胴又はドラグローラまでの紙パス長は既知である。そのため、紙パス長を印刷胴周長で割ると損紙がカッタ胴又はドラグローラに到達するまでのカッタ胴の回転数（Ｎ）が計算できる。一方損紙発生原因に応じたリジェクト部数は予め設定される。損紙発生信号が出されるとカッタ胴の回転数とリジェクト部数が設定される。カッタ胴又はドラグローラの位相が確認され、Ｎ回転後にバルブ開にし、連続紙を吸着し、進行方向の転換後に非吸着開放され、続いてバルブ閉になる。転換後の連続紙は切断されてリジェクト紙として搬送され、リジェクト紙収納箱に排出される。この動作を損紙完了又は一定部数まで、カッタ胴又はドラグローラが一回転毎に繰り返される。
損紙完了信号が出されてからＮ回転後にカッタ胴又はドラグローラの位相が確認された後、バルブ閉で非吸着開放となり、リジェクトを完了し、シータ運転に移る。損紙発生から一定部数経過を条件にする場合はこの条件が満たされれば次のカッタ胴の位相確認に移る。バルブによる吸着、非吸着の替わりに、針の突出、引っ込みの場合も同様である。
【実施例４】
【００９７】
実施例４の転換手段はリジェクト信号が出されている間、バルブ開状態を保持し、ドラグローラの１回転毎にリジェクト紙を吸着するよう構成されている。図１８は実施例４の吸着バルブ付きドラグローラの断面図、図１９はドラグローラの幅方向の一部を示す平面図である。本例は図９Ａに示す実施例２と同じバルブ機構を採用しているので、それらの構成部材には同じ符号を付してその説明を省略する。ここでは実施例２と異なる構成について説明する。
【００９８】
ドラグローラ１１はローラ周面に開放され且つ減圧室４３に連通された吸着孔２９０が紙幅に合わせて長手方向に複数個配列されており、各吸着孔が連続紙の搬送路に対向する領域で該各吸着孔を覆って穴明きベルト８１２が懸架されている。ドラグローラ１１の周面には各吸着孔の位置にベルト厚みに相当する深さのベルト溝１１ａが形成されている。ベルト溝１１ａの溝底には穴明きベルト８１２の幅より若干狭く且つ穴明きベルト８１２の少なくとも1つの穴８１２ａが存在する大きさの吸引域２９１が形成されている。吸引域２９１には吸着孔２９０が設けられている。穴明きベルト８１２はドラグローラ１１と同じ周速度で回転させる。ベルト搬送部８の搬送ベルト８０３は穴明きベルト８１２がドラグローラ１１から離れる前の所定領域まで延設されており、その領域で重なって双方が図示の方向に移動する。
リジェクト信号が出されている間、偏芯カム８１の回転によりバルブ部材を作動し、バルブ開状態を保持し、各吸着孔によってリジェクト紙を吸着する。その後リジェクト紙はドラグローラ１１の回転により搬送ベルト８０３と穴明きベルト８１２との間に位置され、穴明きベルト８１２がドラグローラ１１から離れるに連なって搬送ベルト８０３と穴明きベルト８１２に挟まれてローラ周面から剥がされ、ドラグローラ１１から取り去られて搬送される。この動作はリジェクト信号が出されている間、繰り返される。
【００９９】
図２０は電磁真空バルブ付きドラグローラの真空吸着時を示す断面図、図２１はドラグローラの幅方向の一部を示す平面図である。ドラグローラの幅方向の一部を示す平面図である。本例は図１３に示す実施例３と同じバルブ機構を採用したものであって、ドラグローラから吸着したリジェクト紙を取り去る機構は図１８の吸着バルブ付きドラグローラと同じ構成である。
リジェクト信号無しの通常運転の場合、電磁真空バルブがＯＦＦになっているので、電磁真空バルブを大気開放状態のままで回転するので、紙を吸着することなく通常のシート出し運転が行われる。リジェクト信号有りのリジェクト紙抜取り運転の場合、ドラグローラの位相を確認後、電磁真空バルブをＯＮにし、真空吸着状態とし、リジェクト紙を吸着する。その後リジェクト紙はドラグローラ１１の回転により搬送ベルト８０３と穴明きベルト８１２との協働によりローラ周面から剥がされ、ドラグローラ１１から取り去られて搬送される。この動作はリジェクト信号が出されている間、繰り返される。
【０１００】
図２２は回転バルブ付きドラグローラの吸着時を示す断面図、図２３はドラグローラの幅方向の一部を示す平面図である。本例は図９Ｃに示す実施例３と同じバルブ機構を採用したものであって、ドラグローラから吸着したリジェクト紙を取り去る機構は図１８の吸着バルブ付きドラグローラと同じ構成である。
リジェクト信号無しの通常運転の場合、電磁式アクチュエータがＯＦＦになっているので、バルブ１１５がバルブ閉の状態に保たれ、紙を吸着することなく通常のシート出し運転が行われる。リジェクト信号有りのリジェクト紙抜取り運転の場合、電磁式アクチュエータがＯＮになり、バルブ１１５がバルブ開になって、紙を吸着する。吸着された紙はドラグローラ１１の周面に沿って進行し、搬送装置に渡される。リジェクト信号が有りから無しに切り替わるまでバルブ開が保持され、カッタ胴一回転毎に切断されたリジェクト紙をリジェクト紙収納箱に搬送する。
【０１０１】
実施例４のシータ用オートリジェクト装置の作用について図２４のフローを参照しながら説明する。
リジェクト信号が出されると、ドラグローラの位相が確認され、Ｎ回転後にバルブ開にし、連続紙を吸着し、進行方向の転換後に穴明きベルトがドラグローラのローラ周面から離れる位置で吸着開放される。この間、転換後の連続紙は切断されてリジェクト紙として、穴明きベルトと搬送ベルトとの協働により搬送され、リジェクト紙収納箱に排出される。この動作中、バルブ開を保持し、損紙完了又は一定部数までドラグローラが一回転毎に繰り返される。
損紙完了信号が出されてからＮ回転後にドラグローラの位相が確認された後、バルブ閉で非吸着開放となり、リジェクトを完了し、シータ運転に移る。損紙発生から一定部数経過を条件にする場合はこの条件が満たされれば次のドラグローラの位相確認に移る。
【図面の簡単な説明】
【０１０２】
【図１】本発明に係るシータ用オートリジェクト装置の実施例１の全体図である。
【図２】カッタ胴とサクションローラの拡大断面図である。
【図３Ａ】押し上げバルブのバルブ閉じ状態を示す図である。
【図３Ｂ】押し上げバルブのバルブ開（吸着）状態を示す図である。
【図３Ｃ】押し上げバルブの押し上げ（吸着開放）状態を示す図である。
【図４】図３Ｂに示すＡ−Ａ線に沿った断面図である。
【図５】押し上げバルブ用カム廻りの軸方向断面図である。
【図６】図５のＢ−Ｂ矢視図である。
【図７】実施例１の制御系の構成図である。
【図８Ａ】本発明に係るシータ用オートリジェクト装置の実施例２―１の全体図である。
【図８Ｂ】本発明に係るシータ用オートリジェクト装置の実施例２―２の全体図である。
【図９Ａ】実施例２の吸着バルブ付きドラグローラの断面図である。
【図９Ｂ】実施例２の紙刺し針付きドラグローラの断面図である。
【図９Ｃ】実施例２の回転バルブ付きドラグローラの吸着時を示す断面図である。
【図９Ｄ】図９Ｃの非吸着時を示す断面図である。
【図１０Ａ】吸着バルブまたは紙刺し針付きドラグローラの端面図である。
【図１０Ｂ】回転バルブ付きドラグローラの端面図である。
【図１１】ドラグローラの幅方向の一部を示す平面図である。
【図１２】実施例２の制御系の構成図である。
【図１３】実施例３の電磁真空バルブ付きドラグローラの真空吸着時を示す断面図である。
【図１４】大気開放時の断面図である。
【図１５】図１３に示すドラグローラの幅方向の一部を示す平面図である。
【図１６】実施例３の制御系の構成図である。
【図１７】実施例１から３のシータ用オートリジェクト装置の動作フローを示す図である。
【図１８】実施例４の吸着バルブ付きドラグローラの断面図である。
【図１９】図１８に示すドラグローラの幅方向の一部を示す平面図である。
【図２０】実施例４の電磁真空バルブ付きドラグローラの真空吸着時を示す断面図である。
【図２１】図２０に示すドラグローラの幅方向の一部を示す平面図である。
【図２２】実施例４の回転バルブ付きドラグローラの吸着時を示す断面図である。
【図２３】図２２に示すドラグローラの幅方向の一部を示す平面図である。
【図２４】実施例４のシータ用オートリジェクト装置の動作フローを示す図である。
【符号の説明】
【０１０３】
１      シータ
２      連続紙
２Ａ    枚葉紙
２Ｂ    リジェクト紙
４      断裁部
５      サクションローラ
７      転換部
８      ベルト搬送部
９      減速搬送部
１０    オートリジェクト装置
１１    ドラグローラ
１２    ニッピングローラ
２０    バルブ
２２    中空軸
２９０  吸着孔
２４    トーショクバー
２６    カムフォロア
２７    カム
２８    レバー
４０    カッタ胴
４１    回転刃
４２    固定刃
４３    減圧室
６０    ストッパ機構
６１    電磁式アクチュエータ
６２    ストッパ
８０    バルブ操作部
８１    バルブ操作用カム
８２    バルブ操作用電磁式アクチュエータ
９２    電磁真空バルブ
９２１  大気経路
９２２  真空経路
９４    吸着孔
１００  排紙部
１１０  バルブユニット
１１５  バルブ
１１３  吸着孔
１１７  アーム
２００  シータフレーム
８１２  穴明きベルト
８３０  電磁式アクチュエータ
【図１】
2008195531.tif 000003
【図２】
2008195531.tif 000004
【図３Ａ】
2008195531.tif 000005
【図３Ｂ】
2008195531.tif 000006
【図３Ｃ】
2008195531.tif 000007
【図４】
2008195531.tif 000008
【図５】
2008195531.tif 000009
【図６】
2008195531.tif 000010
【図７】
2008195531.tif 000011
【図８Ａ】
2008195531.tif 000012
【図８Ｂ】
2008195531.tif 000013
【図９Ａ】
2008195531.tif 000014
【図９Ｂ】
2008195531.tif 000015
【図９Ｃ】
2008195531.tif 000016
【図９Ｄ】
2008195531.tif 000017
【図１０Ａ】
2008195531.tif 000018
【図１０Ｂ】
2008195531.tif 000019
【図１１】
2008195531.tif 000020
【図１２】
2008195531.tif 000021
【図１３】
2008195531.tif 000022
【図１４】
2008195531.tif 000023
【図１５】
2008195531.tif 000024
【図１６】
2008195531.tif 000025
【図１７】
2008195531.tif 000026
【図１８】
2008195531.tif 000027
【図１９】
2008195531.tif 000028
【図２０】
2008195531.tif 000029
【図２１】
2008195531.tif 000030
【図２２】
2008195531.tif 000031
【図２３】
2008195531.tif 000032
【図２４】
2008195531.tif 000033